(57)【特許請求の範囲】
【請求項１】
吸収性部材を構成要素とする吸収パッドと、該吸収パッドを保持し外面が不織布で構成されたパンツ形状外装部材とを備え、腰周り開口部付近及び脚周り開口部付近に弾性部材が設けられた使い捨てパンツにおいて、前記腰周り開口部付近より下方の脚周り開口部に至るまでの胴腹部周り域に、周方向に延設した伸長応力の異なる２種の弾性糸条を上下方向に１〜５ｍｍの間隔をおいて交互に複数本配置し、該パンツの外面における前記胴腹部周り域のほぼ全域に、縦方向に細長い無数の畝を形成したものであり、該畝の間隔が３ｍｍ以下、高さが３ｍｍ以下であることを特徴とする使い捨てパンツ。
【請求項２】
前記胴腹部周り域に配置した前記弾性糸条の上下方向での間隔が２〜３ｍｍである請求項１に記載の使い捨てパンツ。
【請求項３】
前記胴腹部周り域に配置した前記弾性糸条における上下方向での配置間隔が、前記胴腹部周り域の下方位置よりも前記胴腹部周り域の上方位置の方が狭い請求項１または２に記載の使い捨てパンツ。
【請求項４】
前記胴腹部周り域に配置した前記弾性糸条の繊度が２３０〜１８７０d texである請求項１〜３のいずれかに記載の使い捨てパンツ。
【請求項５】
前記胴腹部周り域に配置した前記弾性糸条の繊度が３１０〜９３０d texである請求項４に記載の使い捨てパンツ。
【請求項６】
前記胴腹部周り域に配置した前記弾性糸条として２以上の繊度の異なるものを用い、これら繊度の異なる弾性糸条を上下方向に混在して配置したものである請求項１〜５のいずれかに記載の使い捨てパンツ。
【請求項７】
前記胴腹部周り域に配置した前記弾性糸条として２以上の繊度の異なるものを用い、これら繊度の異なる弾性糸条を上下方向に交互に配置したものである請求項６に記載の使い捨てパンツ。
【請求項８】
複数本の弾性糸条が伸長状態で２枚の不織布に挟まれてテープ状となった伸縮性テープを、前記パンツ形状外装部材の前記腰周り開口部及び／または前記脚周り開口部に沿って接合固定したものである請求項１〜７のいずれかに記載の使い捨てパンツ。
【請求項９】
前記パンツ形状外装部材が２枚以上のシートを積層したものであり、該パンツ形状外装部材の腰周り開口部及び／または脚周り開口部が、前記２枚のシートの間に複数本の弾性糸条が伸長状態で挟まれて接合固定されたものである請求項１〜８のいずれかに記載の使い捨てパンツ。
【請求項１０】
前記吸収パッドは、透液性のトップシートと不透液性のバックシートの間に、厚さ３ｍｍ以下の超薄型吸収体を挟んだものである請求項１〜９のいずれかに記載の使い捨てパンツ。
【請求項１１】
前記パンツ形状外装部材が、肌面側外装部材と反肌面側外装部材とを備え、前記吸収パッドが前記肌面側外装部材の肌側面に着脱自在に接合されたものである請求項１〜１０のいずれかに記載の使い捨てパンツ。
【請求項１２】
前記パンツ形状外装部材が、肌面側外装部材と反肌面側外装部材とを備え、前記吸収パッドが、前記肌面側外装部材と前記反肌面側外装部材との間に接合されたものである請求項１〜１０のいずれかに記載の使い捨てパンツ。
【請求項１３】
前記パンツ形状外装部材を構成する不織布は、この不織布を構成する単繊維の主たる方向がパンツの上下方向に向かうものである請求項１〜１２のいずれかに記載の使い捨てパンツ。
【請求項１４】
前記パンツ形状外装部材で構成される前身頃と後身頃との両脇縁部で内方に折り返され、これら折り返しの折り曲げ部において前記前身頃と前記後身頃の外面側同士が接合されたものであって、前記前身頃の前記折り曲げ部よりも先端側が前方向に折り返されて前身頃の内面に接合され、前記後身頃の前記折り曲げ部よりも先端側が後方向に折り返されて後身頃の内面に接合されたものである請求項１〜１３のいずれかに記載の使い捨てパンツ。
【発明の詳細な説明】
【０００１】
【発明の属する技術分野】
本発明はパンツ型の使い捨ておむつである使い捨てパンツに関するものであり、例えば失禁用，生理用，幼児排尿トレーニング用等として用いることができる。
【０００２】
【従来の技術】
図９は従来の使い捨てパンツ５０を示す正面図である。該パンツ５０は、不織布製前身頃５２と不織布製後身頃５３が両脇部（脇接続部５４）において接続されてパンツ形状に形成されたものであり、腰周り開口部付近（以下、ウエストフィット部と称することがある）５５及び脚周り開口部付近（以下、レッグフィット部と称することがある）５６には弾性部材（図示せず）が周方向に配されている。そしてこの弾性部材によってウエストフィット部５５及びレッグフィット部５６を締め付けて着用時にパンツ５０がズレないようにしている。また上記パンツ５０の股部には吸収パッド５１が内装されている。該吸収パッド５１は透液性のトップシートと不透液性のバックシートの間に吸収性部材を挟んだ構造のものであり、この吸収パッド５１により尿等が吸収される。
【０００３】
上記の様に使い捨てパンツはその前後の身頃部分に不織布や紙が用いられており、この様な素材を用いることにより、織編物製のパンツよりも非常に安価な製品にすることが可能となっている。
【０００４】
【発明が解決しようとする課題】
ところで上記従来の使い捨てパンツは、殊にウエストフィット部５５より下の胴腹部周り域（以下、ボディフィット部と称することがある）５７において身頃に大きなデコボコ（凹凸５８）が表れる。この凹凸５８の１つの凸部の横幅としては例えば１cm程度という様に大きく、しかもその高さも同様であり、加えてこの凹凸５８はその上下方向や幅方向で括れたり、また細分割し、乱雑なデコボコとなって表れる。この様な大きく高い凹凸５８が、パンツの縦方向（上下方向）に延び、左右の幅方向に複数並んで形成されるのである。
【０００５】
そしてこの様に乱雑で大きく高い凸凹５８の存在は、着用者にごわつき感を与える上、該使い捨てパンツの外側に着用したズボン等の表側にも、上記凹凸５８のシルエットが写って見栄えが悪いという問題がある。
【０００６】
特に軽度失禁者である大人は、使い捨てパンツを着用していることが外から見ても分からない様にしたいと考えるものであり、シルエットが写らずおむつの着用が分からない使い捨てパンツの要望が高い。
【０００７】
他方編物製パンツは、編物自体が伸縮性良好であるから、ウエストフィット部やレッグフィット部の伸縮に追随して或程度伸縮し、上記の様な大きい凹凸５８を形成しない。
【０００８】
しかし編物製のパンツを製造するには、不織布製や紙製に比べてその製作費が高くつき、使い捨てできるほどの安価な製品を提供することは極めて難しい。
【０００９】
本発明は以上の点に鑑みてなされたものであって、身頃に不織布や紙を用いつつ、ボディフィット部に大きい凹凸が表れず、ごわつき感のない使い捨てパンツを提供することを目的とする。
【００１０】
【課題を解決するための手段】
本発明者らは、製作費の観点から、伸縮性のない繊維素材からなる伸縮性のない不織布や紙をパンツの身頃素材として用いつつも、パンツの胴腹部に伸縮性を付与して、上記従来の様な大きく高い凹凸５８を形成させない様にするには如何にするべきかを考察検討し、パンツの身頃素材の不織布や紙に対して付与する伸縮性が不完全であることに着目して、以下の如く本発明をなしたものである。
【００１１】
即ち本発明に係る使い捨てパンツは、吸収性部材を構成要素とする吸収パッドと、該吸収パッドを保持し外面が不織布で構成されたパンツ形状外装部材とを備え、腰周り開口部付近（ウエストフィット部）及び脚周り開口部付近（レッグフィット部）に弾性部材が設けられた使い捨てパンツにおいて、前記腰周り開口部付近より下方の脚周り開口部に至るまでの胴腹部周り域（ボディフィット部）に、周方向に延設した弾性糸条を複数本上下方向に間隔をおいて配置し、該パンツ外面における胴腹部周り域（ボディフィット部）のほぼ全域に、縦方向に細長い無数の畝を形成したものであり、該畝の間隔が３mm以下、高さが３mm以下であることを要旨とする。
【００１２】
尚上記「ほぼ全域」とは、ボディフィット部全域の場合だけでなく、これよりもやや小さめの領域や、やや大きめの領域をも指す意味である。また「畝の高さ」とは、畝の最下部から最頂部までの距離の意味である。尚前記畝の間隔は２mm以下であることがより好ましい。
【００１３】
上記の様に本発明の使い捨てパンツはそのボディフィット部において、細長く細かく低い畝が無数に形成されており、この畝はあたかも縮み織地（楊柳織地）の如く外観を呈しているから、該使い捨てパンツの外側に着用したズボン等の外観シルエットにも畝が表れず、また細かな畝による細かなギャザーであるから肌触りが柔らかくなり、ごわつき感も全くない。即ち本発明の使い捨てパンツは、不織布・紙製であるにも拘わらず、編物製の様に平らで柔らかい感触を示し、従来の使い捨てパンツとは全く異なって、良好な風合いの使い捨てパンツを創出したものである。
【００１４】
或いは本発明に係る使い捨てパンツは、吸収性部材を構成要素とする吸収パッドと、該吸収パッドを保持し外面が不織布で構成されたパンツ形状外装部材とを備え、腰周り開口部付近及び脚周り開口部付近に弾性部材が設けられた使い捨てパンツにおいて、前記腰周り開口部付近より下方の脚周り開口部に至るまでの胴腹部周り域に、周方向に延設した弾性糸条を複数本、上下方向に１〜５mmの間隔をおいて配置したものであることを要旨とする。
【００１５】
この様にボディフィット部に弾性糸条を、１〜５mmの間隔という様に狭いピッチで配置しているから、ボディフィット部の外装部材に細かな縦ギャザーが形成できる。そしてこのボディフィット部に形成された細かく低い無数の畝により、上記外装部材は前述と同様にあたかも縮み織地（楊柳織地）の如く外観を呈し、よって該使い捨てパンツの外側に着用したズボン等の外観シルエットにも畝が表れず、また細かなギャザーであるから肌触りが柔らかくなり、ごわつき感も全くない。
【００１６】
尚、ボディフィット部のフィット性を改善する目的で、数本の弾性糸条（糸ゴム）をボディフィット部に配したものが従来提案されているが（例えば特開平１０−３１４２２０号公報）、この弾性糸条の上下方向の配置間隔が広い為に（例えば０．７〜２cm）、ボディフィット部に大きく深い凹凸を形成してしまい、即ち本発明の提案する大きい凹凸をなくするというものではなく、示唆もされていない。
【００１７】
上記の如くボディフィット部の上記弾性糸条の上下方向での配置間隔（ピッチ）を１〜５mmとした理由は、配置間隔が５mm超ではボディフィット部に形成される縦ギャザーが粗くなり、大きな畝（凹凸）となって従来と同様の問題を生じる恐れがあるからである。一方上下方向の配置間隔が１mm未満では細かなギャザーが形成できるものの、弾性糸条の本数が多くなり過ぎて柔らかさに乏しくなり、また製造法上も弾性糸条を高精度で配置する必要が生じて製造困難となるからである。より好ましくは上記配置間隔（ピッチ）が２mm以上、４mm以下であり、更に好ましくは３mm以上である。
【００１８】
また本発明においては、前記胴腹部周り域に配置した前記弾性糸条における上下方向での配置間隔が、前記胴腹部周り域の下方位置よりも前記胴腹部周り域の上方位置の方が狭いことが好ましい。
【００１９】
更に本発明において、上記ボディフィット部に配置する上記弾性糸条の繊度としては、２３０〜１８７０d tex（デシテックス）（２１０〜１６８０デニール）が好ましい。上記弾性糸条の繊度が１８７０d texを超える場合は、胴腹周りを強く締め付けて着用者に不快感を与える恐れがあるからである。一方２３０d tex未満と細い場合は、引張応力が低いものとなり、胴腹周りへの締め付けが弱くなり、また製造過程において弾性糸条の切断が生じて生産性低下を招く懸念があるからである。尚上記弾性糸条として、細い弾性フィラメントを複数本束ねたマルチフィラメントを用いても良いが、この様なマルチフィラメントをボディフィット部に配置接着することは製造上困難であるから、上記２３０〜１８７０d texのモノフィラメントを弾性糸条として用いることが推奨される。より好ましくは上記弾性糸条の繊度が３１０d tex（２８０デニール）以上、９３０d tex（８４０デニール）以下である。
【００２０】
また本発明においては、前記胴腹部周り域に配置した前記弾性糸条として２以上の繊度の異なるものを用い、これら繊度の異なる弾性糸条を上下方向に混在して配置したものであることが好ましい。尚この混在配置とは、交互に配置する場合も非交互に配置する場合も含むことを意味する。
【００２１】
上記弾性糸条に繊度の小さい（細い）ものを用いるほど、感触が柔らかいパンツとなるという利点があるものの、伸張応力（引張力に対する上記弾性糸条の変形抵抗）が小さくなるから胴腹部でのフィット性に欠けるようになる。逆に繊度の大きい（太い）ものを用いると、フィット性に優れたパンツとなるが、伸張応力が大きくなるから風合いが硬くなる傾向になる。この点、上述の様に異なる繊度の弾性糸条を混在させて用いることにより、パンツ胴腹部周りにおける伸長応力（締付力）と感触（柔らかさ）を好ましくバランスさせたパンツとすることができ、即ち上述の細いものと太いものの両者の長所をいかし、感触が柔らかく且つフィット性に優れた使い捨てパンツとすることができる。
【００２２】
上記繊度の異なる弾性糸条としては、素材が同一で繊度のみが異なるもの、素材も繊度も異なるものが挙げられるが、何れであっても良い。
【００２３】
加えて本発明において、前記胴腹部周り域に配置した前記弾性糸条として２以上の伸長応力の異なるものを用い、これら伸長応力の異なる弾性糸条を上下方向に混在して配置したものであっても良い。
【００２４】
例えば繊度が同一で伸張応力の異なる素材の弾性糸条を用いても良く、この場合も上述と同様に感触が柔らかく且つフィット性に優れた使い捨てパンツを得ることが可能である。
【００２５】
また本発明においては、前記胴腹部周り域に配置した弾性糸条における上下方向での配置間隔が１〜５mmで、前記胴腹部周り域の上方位置より下方位置が広く／或いは上方位置より下方位置に向けて漸次広くなるように配置することが好ましい。
【００２６】
これによりパンツ胴腹部周り域には、その上方から下方に移るにつれて、細かい縦方向ギャザーの幅寸方が、上方位置でのそれが下方位置でのそれより相対的に大きくなり、パンツボディフィット部の表情（表面状態）をより好ましい外観とすることができる。
【００２７】
加えて本発明のパンツの腰周り開口部及び／または脚周り開口部での締め付け手段としては、複数本の弾性糸条が伸長状態で２枚の不織布に挟まれてテープ状となった伸縮性テープ（以下、リボン状弾性部材と称することがある）を、前記パンツ形状外装部材の前記腰周り開口部及び／または前記脚周り開口部に沿って接合固定したものであることが好ましい。
【００２８】
また本発明の同手段としては、前記パンツ形状外装部材が２枚以上のシートを積層したものであり、該パンツ形状外装部材の腰周り開口部及び／または脚周り開口部が、前記２枚のシートの間に複数本の弾性糸条が伸長状態で挟まれて接合固定されたものであることも好ましい。
【００２９】
また本発明の前記吸収パッドとしては、透液性のトップシートと不透液性のバックシートの間に厚さ３mm以下の超薄型吸収体を挟んだものであることが好ましい。
【００３０】
吸収パッドが分厚いと、使い捨てパンツの上に例えばズボンを着用した場合にこの吸収パッドのために股下部分やこれに続く前後身頃下部分が膨らみ、使い捨てパンツの着用が分かってしまう懸念がある。従って吸収パッドとしては吸水量との兼ね合いでこれが許す限り薄いものが好ましく、上記の様に厚さ３mm以下の超薄型吸収体を用いた吸収パッドを用いることが好ましい。
【００３１】
上記超薄型吸収体としては、高吸水性ポリマー粒子をウエブ空隙内に分散固定したものや、上記高吸水性ポリマー粒子を２枚の不織布間に挟んで接着固定した超薄型吸水性シート材料が好ましく用いられ、その他、従来公知の高吸水性樹脂を有するシート材の何れを用いても良い。
【００３２】
加えて本発明においては、前記パンツ形状外装部材が、肌面側外装部材と反肌面側外装部材とを備え、前記吸収パッドが前記肌面側外装部材の肌側面に着脱自在に接合されたものであることが好ましい。
【００３３】
この様に吸収パッドが着脱自在であると、排尿等の度に上記使い捨てパンツを履き替えなくても、吸収パッドのみを新しいものに取り替えるだけで済み、経済的である。特に尿等の排出量が少ない場合には使い捨てパンツ全体を捨てる必要性に乏しく、上述の様に吸収パッドが着脱自在であることは有効である。
【００３４】
また本発明において、前記パンツ形状外装部材が肌面側外装部材と反肌面側外装部材とを備え、前記吸収パッドが前記肌面側外装部材と前記反肌面側外装部材との間に接合されたものであっても良い。
【００３５】
加えて本発明においては、前記パンツ形状外装部材を構成する不織布が、この不織布を構成する単繊維の主たる方向がパンツの上下方向に向いたものであることが好ましい。
【００３６】
前述の様にボディフィット部に狭い間隔で複数本配置された弾性糸条の収縮力により、上記外装部材に細かな縦ギャザー（細かな無数の縦畝）が形成されるのであるが、このとき外装部材を構成する不織布の単繊維方向が主として上下方向であれば、パンツの幅方向に折れ曲がり易く、従って上記縦ギャザーが円滑に形成される。
【００３７】
更に本発明においては、前記パンツ形状外装部材が前身頃と後身頃を備え、この前身頃と後身頃がそれぞれ両脇縁部で内方に折り返され、これら折り返しの折り曲げ部において前記前身頃と前記後身頃の外面側同士が接合されたものであって、前記前身頃の前記折り曲げ部よりも先端側が前方向に折り返されて前身頃の内面に接合され、前記後身頃の前記折り曲げ部よりも先端側が後方向に折り返されて後身頃の内面に接合されたものであることが好ましい。即ち前記外装部材が前身頃と後身頃を両脇で接合したものであって、この接合代が身体側に向かったものであることが好ましい。
【００３８】
接合代が反身体側に向いていると、この接合代がパンツ外側に突出することになるから嵩高くなり、外側に履くズボン等に擦れて履き心地が悪くなり、またシルエットが写る懸念がある。この点上述の様に接合代を身体側に向けたものは、突出部分がないからズボン等に擦れることが無く、またシルエットが写り難い。
【００３９】
【発明の実施の形態】
以下に本発明に係る使い捨てパンツに関して、例を示す図面を参照しつつ具体的に説明するが、本発明はもとより図示例に限定される訳ではなく、前・後記の趣旨に適合し得る範囲で適当に変更を加えて実施することも可能であり、それらはいずれも本発明の技術的範囲に包含される。
【００４０】
＜実施形態１＞
図１は本発明の実施形態１に係る使い捨てパンツ１０を示す図であり、（ａ）は正面図、（ｂ）は背面図である。図２は図１に示すＤ−Ｄ線断面図である。また図３は上記使い捨てパンツ１０の裏側（肌側）外装部材１５を除いた展開図である。
【００４１】
パンツ形状外装部材は表側（反肌側）外装部材１４と裏側（肌側）外装部材１５の２枚からなり、上記表側外装部材１４はスパンレース不織布製で、上記裏側外装部材はスパンボンド不織布製である。これら２枚の外装部材１４，１５によりパンツ状を形作っている。
【００４２】
そして使い捨てパンツ１０の股部分において長方形の吸収パッド５１が、上記裏側外装部材１５の肌面側に粘着剤により着脱自在に接合されている。この吸収パッド５１は、吸収性部材６１を透液性不織布製トップシート６２と不透液性プラスチックシート製バックシート６３で挟んだものである。
【００４３】
使い捨てパンツ１０のウエストフィット部５５及びレッグフィット部５６には、リボン状弾性部材１６，１７がそれぞれ上記表側外装部材１４と上記裏側外装部材１５の間に挟まれて周方向に配置されている。このリボン状弾性部材１６，１７は２枚の不織布の間に４６７d tex（４２０デニール）のポリウレタン弾性糸を２mm間隔で配置したものであって、後述する様に上記ポリウレタン弾性糸を伸長状態で上記不織布に固定することにより、伸縮性のあるリボン状物としたものである。該リボン状弾性部材１６，１７によりウエストフィット部５５及びレッグフィット部５６が伸縮性を示す様になっている。
【００４４】
ボディフィット部５７にはボディ用弾性糸１８が上記表側外装部材１４と上記裏側外装部材１５の間に挟まれて周方向（パンツ１０の横方向）に配置、接合されている（図２，３）。上記ボディ用弾性糸１８には繊度４６７d tex（４２０デニール）のポリウレタン製弾性糸が用いられ、このボディ用弾性糸１８（ポリウレタン製弾性糸）が２mm間隔（図３に示すＷ1）で平行に配置、接合されている。
【００４５】
尚図３は上記ボディ用弾性糸１８やリボン状弾性部材１６，１７の配置を説明する為の図であり、上記使い捨てパンツ１０の両脇の接合箇所を外して展開し、更に裏側外装部材１５を外した図である。
【００４６】
図３に示す様に、ボディフィット部５７ではボディ用弾性糸１８が２mmという狭いピッチで胴周り方向に配置されているから、ボディフィット部５７の全域に細かな縦長ギャザーが形成される（図１）。この縦長ギャザーの各畝の畝−畝間隔は約１．５mm、畝の高さ（畝の最下部から最頂部までの距離）も約１．５mmであり、あたかも楊柳織物の表面の様な細かい畝が形成されている。
【００４７】
この様にボディフィット部５７には大きく深い畝（凹凸）が形成されないから、外側に着用したズボン等の外観シルエットにも畝が表れない。また細かなギャザーであるから肌触りが柔らかく、ごわつき感が全くない。
【００４８】
尚上記実施形態１においては、ボディフィット部５７のボディ用弾性糸１８が狭いピッチで配置されており、このボディフィット部５７の弾性糸１８によって身体にパンツ１０が支えられるので、ウエストフィット部５３を強く絞める必要がない。
【００４９】
図４は上記実施形態１の脇部分の接合状態を説明する為の図であり、図１に示すＥ−Ｅ線断面図である。
【００５０】
脇部分の接合代１９は身体側に向かっており、この接合代１９が外側に突出していないから、外側に着用したズボン等の外観シルエットにも殆ど接合代１９が写らない。
【００５１】
次に上記リボン状弾性部材１６，１７の製造方法について説明する。
【００５２】
図５は該製造方法の一例を説明する為の斜視図である。予め所定形状の細長い不織布２１，２２を準備し、平行に配置した複数本の弾性糸２３を伸長させた状態で上記不織布２１，２２の間に挟んで接着する。これにより上記リボン状弾性部材１６，１７が得られる。
【００５３】
また図６はリボン状弾性部材１６，１７の製造方法の他の例を説明する為の斜視図である。やや幅広の長尺の不織布を２枚準備し、上記と同様に平行に配置した複数本の弾性糸２６を伸長させた状態で上記不織布２４，２５で挟み、接着する。これをスリッター２７により長手方向に切断して、細長いリボン状弾性部材１６，１７を得る。
【００５４】
図７は、上記リボン状弾性部材１６，１７に引張力を与えていない状態の斜視図であり、図に示す様に中に挟まれた弾性糸２３，２６が収縮して、細かなギャザーができている。
【００５５】
このリボン状弾性部材１６，１７を上記使い捨てパンツ１０の外装部材に取付けるにあたっては、前述の様にリボン状弾性部材１７を伸張させた状態で接着すると良く、これにより脚繰りへの圧迫がほぼ均一になるから、着心地が良好となる。尚このリボン状弾性部材１６，１７を上記ウエストフィット部５５やレッグフィット部５６に取付けるに当たっては、リボン状弾性部材１６，１７を２枚の外装部材１４，１５の間に挟む、或いは表側外装部材１４の表面側に取付ける様にすると良い。
【００５６】
なお、レッグフィット部５６にリボン状弾性部材１７を取付けるにあたっては、図１０［レッグフィット部への弾性糸条の取付け方法を説明する為の平面図］に示すように、外装部材の原反１２をおむつの身頃横方向に進行させて（矢印Ａ）、脚繰り１３に沿うようにリボン状弾性部材１７を正弦波形状に蛇行させ、且つ伸長状態で原反１２に取付けると良い。これによりレッグフィット部５６に伸縮性が付与される。またウエストフィット部５５にリボン状弾性部材１６を取付けるにあたっては、上記と同様に外装部材の原反１２を身頃横方向に進行させて、リボン状弾性部材１６を伸長させつつ原反１２幅方向両端部に取付けると良い。これによりウエストフィット部５５に伸縮性が付与される。
【００５７】
＜実施形態２＞
図８は本発明の実施形態２に係る使い捨てパンツ２０を示す図であり、（ａ）は正面図、（ｂ）は背面図である。尚図１と同じ構成部分については同一の符号を付して重複説明を避ける。
【００５８】
上記実施形態１においては、ボディフィット部５７全体にほぼ均一な細長ギャザーがつくように、ボディフィット部５７におけるボディ用弾性糸１８の上下方向の間隔を一定としたが、本実施形態２ではボディフィット部５７の中間位置より上方ではボディ用弾性糸１８の間隔を狭くし（間隔２mm）、下方ではこれより間隔をやや広くしたものである（間隔５mm）。これによりボディフィット部５７の上方には細かな縦長ギャザーができ、下方にはこれよりもやや粗めの細長ギャザーができる。
【００５９】
本実施形態２の場合も上記ボディフィット部５７の上方及び下方はいずれもギャザーの畝が幅３mm以下，高さ３mm以下であって、細かなギャザーであるから肌触りが柔らかく、ごわつき感が全くない。加えて上方から下方に移るにつれて上記ギャザーが幾分か大きくなるものであり、このギャザーの変化がボディフィット部５７の表情（表面の状態）をより変化のあるものとし、見栄えが良い。
【００６０】
＜実施形態３＞
上記実施形態１の使い捨てパンツ１０においてはボディ用弾性糸１８として４６７d texのポリウレタン製弾性糸を１種類用いたが、本実施形態３はこれに代えて、４６７d tex（４２０デニール）のポリウレタン製弾性糸（ボディ用弾性糸１８ａ）と３１１d tex（２８０デニール）のポリウレタン製弾性糸（ボディ用弾性糸１８ｂ）を用い、これら２種類のボディ用弾性糸１８ａ，１８ｂを交互に配置したものである。これらボディ用弾性糸１８ａ，１８ｂの上下方向の間隔（図１１に示すＷ1）は上記実施形態１と同じく２mmである。尚他の構成は実施形態１と同様である。
【００６１】
図１１は上記ボディ用弾性糸１８ａ，１８ｂの配置を説明する為の図であり、使い捨てパンツの両脇の接合箇所を外して展開し、更に裏側（肌側）外装部材１５を外した図である。尚図３と同じ構成部分については同じ符号を付して重複説明を避ける。
【００６２】
本実施形態３の使い捨てパンツも上記実施形態１と同じく、ボディフィット部５７の全域に細かな縦長ギャザー（畝）が形成され、従って外側に着用した衣服の外観シルエットに悪影響を与えない。その上、上述の様に太さの異なるボディ用弾性糸１８ａ，１８ｂを交互に用いているから、感触の柔らかさ（しなやかさ、肌触り）と良好なフィット性の両方の特性についてより一層優れたものとなっている。
【００６３】
尚上記実施形態１〜３では、ウエストフィット部５３及びレッグフィット部５６に伸縮性を付与するにあたり、リボン状弾性部材１６，１７を接合固定する例を示したが、これに限るものではなく、並列に配置した複数本の弾性糸条を、ウエストフィット部５３やレッグフィット部５６の外装部材に直接接着固定したものであっても良い。
【００６４】
また上記実施形態においては、吸収パッド５１を裏側外装部材１４の肌面側に取り付ける場合を示したが、吸収パッド５１を表側外装部材１４と裏側外装部材１５の間に挟むようにしたものであっても良い。
【００６５】
更に上記実施形態３ではボディフィット部５７に配置する２種類のボディ用弾性糸１８ａ，１８ｂを交互に配置する場合を示したが、これに限らず、例えば４６７d tex（４２０デニール）のボディ用弾性糸１８ａをＡ、３１１d tex（２８０デニール）のボディ用弾性糸１８ｂをＢとしたとき、上下方向にＡ−Ｂ−Ｂ−Ａ、Ａ−Ｂ−Ｂ−Ｂ−Ａ、Ａ−Ａ−Ｂ−Ｂ−Ａ−Ａ、Ａ−Ａ−Ｂ−Ｂ−Ｂ−Ａ−Ａといった様に同じ種類の弾性糸を複数度隣り合わせて配置する場合や、Ａ−Ｂ−Ｂ−Ａ−Ｂ−Ｂ−Ｂ−Ａといった様に、ランダムな順序で配置する場合であっても良い。また胴腹部の上方域では締め付け力を強くし、下方域に向かって徐々に締め付け力を弱くするような弾性糸の種類や配置としても良く、この様に要求に応じて適宜変更すると良い。更にボディ用弾性糸の種類としても上述の様に２種類に限らず３種類以上用いても良い。
【００６６】
次に、本発明に係る使い捨てパンツに用いる素材等について説明する。
【００６７】
上記トップシート６２の素材としては、透液性のシート状物であれば良く、親水性，疎水性の如何を問わずに用いることができる。例えば不織布や多孔性プラスチックフィルムが挙げられ、特に上記不織布は低コストであるから好ましい。この不織布の繊維としては、レーヨン等の再生繊維、ポリエチレン，ポリプロピレン等のポリオレフィンやポリエステル等の合成繊維、絹やパルプ等の天然繊維等が用いられる。更にポリエチレン繊維とポリエステル繊維の混紡、ポリエチレン繊維とポリプロピレン繊維との混紡が好ましい。またポリエチレン成分とポリプロピレン成分とのサイド・バイ・サイド型複合繊維や芯鞘型複合繊維が好ましい。特に鞘部にポリエチレン成分、芯部にポリプロピレン成分を配した芯鞘型構造の複合繊維の場合は、鞘部成分がバインダーとしての機能を果たし、芯部成分が高い強度を発揮するから、より好ましい。
【００６８】
上記バックシート６３の素材としては、不透液性のプラスチックフィルムが挙げられ、特にポリエチレンフィルムは接着性やコスト等の観点から好ましい。
【００６９】
上記吸収性部材６１の材料としては、使い捨ておむつの吸収体材料として用いられている材料を用いることができる。例えば綿状パルプ，レーヨン等の吸収性繊維を主体成分とし、これに副成分の熱融着性粒子または熱融着性繊維を混合してマット状とし、このマット中に高吸水性ポリマーを分散配合したもの、或いは２層以上の上記マットの間に高吸水性ポリマーを挟み込んだものが挙げられる。またパルプ成分を実質上零近くにして高吸水性ポリマー粒子を主体成分とした中間層を作製し、この中間層を不織布間に挟んで作製したシート状の吸収体も用いることができ、更に不織布中に高吸水性ポリマー粒子を分散含有させたシート状吸収体も用いることができる。特に高吸水性ポリマー粒子を主成分としたシート状吸収体は薄いから、本発明に係る使い捨てパンツに用いた場合に、パンツ外観が膨れず、またゴツゴツした感じがせず、あたかも通常の編物製伸縮性パンツの様な外観になるので好ましい。
【００７０】
尚上記高吸水性ポリマーとしては、ポリアクリル酸系、澱粉・アクリルニトリル系、セルロース系等の吸水性ポリマーが挙げられる。
【００７１】
上記シート状吸収体として具体的には、吸水性の表・裏２枚の不織布のそれぞれ内側表面に、所謂カーテンスプレーコータ、スパイラルスプレーコータ等によってホットメルト接着剤等を塗布し、これら不織布の接着剤塗布面同士の間に高吸水性ポリマー粒子を配置して接着固定したものが挙げられる。該シート状吸収体は、これにトップシート及びバックシートを配してもなお、例えば厚みが３mm以下と言う様に極めて薄く、本発明の吸収パッドとして好適に利用できる。
【００７２】
上記吸収性パッドを保持してパンツを形作る上記外装部材１４，１５は、下着としてのパンツの役目をになう本体部分であるから、肌触りや風合いが良好であり、また安価で使い捨て可能な素材であることが望まれ、例えばポリエチレン，ポリプロピレン，ポリエステル等の単独または複合繊維を用いた不織布を用いることが好ましい。この不織布としては、スパンボンド不織布やスパンレース不織布等が代表例として挙げられるが、パンツの外表面となる表側外装部材１４に上記スパンレース不織布を用いると、パンツの手触りや外観がより好ましいものとなり、またパンツの内表面（肌側面）となる裏側外装部材１５に上記スパンボンド不織布を用いて、パンツ強度の向上を図ることができる。この様にして各種不織布を組み合わせて用いると良い。更に上記不織布に疎水性の大きいポリプロピレンやポリエチレンのメルトブロー不織布を積層した複合不織布を用いると、良好な不透液性を発揮させることができる。またポリエチレン，ポリプロピレン等からなる通気性或いは非通気性フィルムを組み合わせて使用しても良い。
【００７３】
外装部材を構成する不織布に関しては、前述の様にその単繊維方向が主として上下方向に向いた不織布であれば縦方向細長ギャザーをより円滑に形成できる。
【００７４】
単繊維が主に一方向に向いている不織布について次に説明する。例えば乾式不織布（スパンボンド不織布等）の製造過程は、まず溶融紡糸しつつ冷却延伸し、この連続フィラメント群を開繊工程に導いて開繊して、その単繊維方向がランダムとなる様にして捕集コンベア上に捕集し、次いでこのコンベアによって引き取りつつ次工程において繊維間を結合し、不織布とする。この様にして得られる不織布の単繊維方向は四方に均等にランダムに向いているわけではなく、むしろ不織布の引取方向（捕集コンベア流れ方向）に単繊維が向く傾向にある。従ってこの単繊維が多く向く方向を使い捨てパンツの上下方向にして使用すると良い。
【００７５】
尚、上記不織布の引取方向は不織布の長手方向となるから、使い捨てパンツを製造するにあたって、一般的には、例えば図１０に示す様に不織布（原反１２）の長手方向をパンツの幅方向（横方向）として製造ライン上を流すという方法が採られている。しかしこの場合は不織布の主な単繊維方向がパンツ横方向に向くこととなり、パンツ縦方向に向く細長ギャザーを形成するにあたっては、主たる単繊維の方向が屈曲の抵抗となって好ましくない。
【００７６】
そこで上記一般的な製造法とは異なり、不織布の長手方向（単繊維方向）がパンツの上下方向に沿う様に配置して製造すれば、単繊維方向が殆ど屈曲抵抗とならず、縦方向細長ギャザーが円滑に形成され、好ましい。
【００７７】
しかし、主たる単繊維方向がパンツ幅方向に向く不織布使いであっても、前記説明のとおり胴腹部域での弾性糸条の上下方向での配置間隔が５mm以下という狭い間隔とすることによって、前記した細かい縦方向に向いた無数の畝からなる細かくて低いギャザーが形成されるものであって、本発明においては、不織布の向きを限定するものではない。
【００７８】
ウエストフィット部５３、レッグフィット部５６、及び上記ボディフィット部５７に用いる弾性糸条（リボン状弾性部材に用いる弾性糸条を含む）としては、素材として天然ゴムや合成ゴム等が用いられ、また形態としても糸条或いは紐状等の何れであっても良く、配設位置に応じて適宜選択すると良い。尚特にポリウレタン弾性糸は様々な弾性特性のものが選択でき、且つ特性が安定しており、入手が容易であるから好ましい。
【００７９】
上記リボン状弾性部材１７に用いられる不織布製テープ（２１，２２，２４，２５）としては、特に限定されるものではないが、上記外装部材と同一素材の不織布を用いることが好ましい。尚この不織布製テープの代わりとして、フィルムを用いても良いが、肌触りや風合い，通気性等の点で不織布より劣るので、フィルム表面に凹凸を付与したり、通気性微細孔を開口する等して使用するのが好ましい。
【００８０】
【発明の効果】
本発明に係る使い捨てパンツは、身頃に不織布や紙を用いつつも、ボディフィット部に大きく深い凹凸が表れず、ごわつき感がなく、外側に着用するズボンの外観シルエットとしても通常の織編物製パンツを着用した場合と殆ど変わらない外観となる。
【図面の簡単な説明】
【図１】本発明の実施形態１に係る使い捨てパンツを示す図。
【図２】図１に示すＤ−Ｄ線断面図。
【図３】実施形態１の使い捨てパンツにおける弾性糸やリボン状弾性部材の配置を説明する為の図。
【図４】図１に示すＥ−Ｅ線断面図。
【図５】リボン状弾性部材の製造方法の一例を説明する為の斜視図。
【図６】リボン状弾性部材の製造方法の他の例を説明する為の斜視図。
【図７】リボン状弾性部材に引張力を与えていない状態の斜視図。
【図８】本発明の実施形態２に係る使い捨てパンツを示す図。
【図９】従来の使い捨てパンツを示す正面図。
【図１０】レッグフィット部への弾性糸条の取付け方法を説明する為の平面図。
【図１１】実施形態３の使い捨てパンツにおける弾性糸の配置を説明する為の図。
【符号の説明】
１０，２０  使い捨てパンツ
１４  表側（反肌側）外装部材
１５  裏側（肌側）外装部材
１６，１７  リボン状弾性部材
１８，１８ａ，１８ｂ  ボディ用弾性糸
１９  接合代
５１  吸収パッド
５５  ウエストフィット部
５６  レッグフィット部
５７  ボディフィット部
６１  吸収性部材
６２  トップシート
６３  バックシート
【図１】
0004772973.tif 000002
【図２】
0004772973.tif 000003
【図３】
0004772973.tif 000004
【図４】
0004772973.tif 000005
【図５】
0004772973.tif 000006
【図６】
0004772973.tif 000007
【図７】
0004772973.tif 000008
【図８】
0004772973.tif 000009
【図９】
0004772973.tif 000010
【図１０】
0004772973.tif 000011
【図１１】
0004772973.tif 000012